(57)【要約】【課題】  エアー看板に内部発光手段としてＬＥＤモジュールを用いることで、速い反応速度、消費電力の節減、寿命延長及び多様な色相の具現が可能なＬＥＤモジュールを備えたエアー看板を提供する。【解決手段】  エアー看板であって、柔軟性の素材で形成され、内部に注入された空気の圧力によって一定の形状に膨脹または収縮するエアーチューブ；前記エアーチューブを支持または収納するためのベース；前記ベースの内部に備えられ、前記エアーチューブに空気を注入するための送風機；前記エアーチューブが膨脹した状態で前記エアーチューブの内部に光を照射させるための発光手段；及び前記送風機及び前記発光手段に電源を供給するための電源供給装置；を含み、前記発光手段は、一端が前記エアーチューブに固定され、他端は前記電源供給装置に連結される複数のＬＥＤモジュールであり、前記エアーチューブの膨脹した長さに相応して備えられる。【選択図】  図１
2013231969.tif 000002
【特許請求の範囲】
【請求項１】
エアー看板において、
柔軟性の素材で形成され、内部に注入された空気の圧力によって一定の形状に膨脹または収縮するエアーチューブ；
前記エアーチューブを支持または収納するためのベース；
前記ベースの内部に備えられ、前記エアーチューブに空気を注入するための送風機；
前記エアーチューブが膨脹した状態で前記エアーチューブの内部に光を照射させるための発光手段；及び
前記送風機及び前記発光手段に電源を供給するための電源供給装置；を含み、
前記発光手段は、一端が前記エアーチューブに固定され、他端は前記電源供給装置に連結される複数のＬＥＤモジュールであり、前記エアーチューブの膨脹した長さに相応して備えられることを特徴とする、ＬＥＤモジュールを備えたエアー看板。
【請求項２】
前記ＬＥＤモジュールはそれぞれ２個〜４個のモジュールが結合してなることを特徴とする、請求項１に記載のＬＥＤモジュールを備えたエアー看板。
【請求項３】
前記電源供給装置はＳＭＰＳ（Ｓｗｉｔｃｈｉｎｇ  Ｍｏｄｅ  Ｐｏｗｅｒ  Ｓｕｐｐｌｙ）であることを特徴とする、請求項１または２に記載のＬＥＤモジュールを備えたエアー看板。
【発明の詳細な説明】
【技術分野】
【０００１】
本発明はＬＥＤモジュールを備えたエアー看板に係り、より詳しくはエアー看板の内部に備えられたＬＥＤモジュールによってエアー看板の内部の全方向に光を照射させることにより広告宣伝の効果に優れ、従来のハロゲンランプ、メタルランプ、安定器などでなったエアー看板に比べて低い消費電力及び延ばされた看板寿命を有し、環境に優しいエアー看板に関する。
【背景技術】
【０００２】
一般に、従来の広告用エアー看板には送風機による空気注入式の照明広告装置がたくさん使われている。
【０００３】
エアー看板は、エアーチューブの内部に送風機の作用で空気を注入し、内部に照明手段を設置して、固定されたエアーチューブの内部に照明を照射する方式が使われていた。
【０００４】
従来のエアー看板は照明手段としてメタルランプを使った。
【０００５】
しかし、メタルランプは、消灯後に再び点灯するまで約１０〜１５分の時間がかかって連続的な点滅が容易でないため、一般的に単色の照明のみをエアーチューブの内部に照射するように設定された。
【０００６】
したがって、多数のエアー看板が設置された場合、単色の照明だけが照射されるので視覚的な刺激がほとんどないため、夜間に差別化された広告効果を実現しにくい欠点があった。
【０００７】
特許文献１には‘多色ハロゲンランプを用いた色相可変エアー看板’が開示されている。
【０００８】
前記多色ハロゲンランプを用いた色相可変エアー看板は、エアーチューブの下部を支持するように設置されたベースの内部に安定器が内在されたハロゲンランプ専用投光器とハロゲンランプを使う照明部及びハロゲンランプの照明を制御することができる点滅器、送風及びスイッチが設置された広告用色相可変エアー看板であり、照明部の点灯と消灯の反復的な遂行過程を遅延時間なしに連続的に点滅可能となるように構成された。
【０００９】
しかし、前記多色ハロゲンランプを用いた色相可変エアー看板は、照明手段としてハロゲンランプを使うため、電力消耗が多くて非経済的であり、ハロゲンランプが支持部に設置されてエアーチューブの内部に光を照射するため、エアーチューブは長手方向に沿って多様な色相変化を与えることができなく、膨脹した前記エアーチューブの上部に行くほど光照射量が減少してエアー看板が暗くなって広告効果が低い欠点があった。
【００１０】
また、前記ハロゲンランプは高価であるため、エアー看板の維持保守に高費用がかかる問題点があった。
【先行技術文献】
【特許文献】
【００１１】
【特許文献１】大韓民国実用新案公開第２０−２００９−０００４１００号明細書
【発明の概要】
【発明が解決しようとする課題】
【００１２】
本発明は前述した問題点を解決するためになされたもので、まず、エアー看板に内部発光手段としてＬＥＤモジュールを用いることで、速い反応速度、消費電力の節減、寿命延長及び多様な色相の具現が可能なＬＥＤモジュールを備えたエアー看板の提供を一目的とする。
【００１３】
また、本発明は、前記ＬＥＤモジュールを用いることで、エアー看板の製作コスト及び維持保守コストの面で経済的なＬＥＤモジュールを備えたエアー看板の提供を他の目的とする。
【００１４】
また、前記ＬＥＤモジュールを膨脹したエアーチューブの長手方向の全長にわたって備え、全方向に光を照射させるために前記ＬＥＤモジュールを２個〜４個結合することで、視覚による広告宣伝の機能に優れたＬＥＤモジュールを備えたエアー看板の提供をさらに他の目的とする。
【００１５】
本発明の目的は以上に開示した目的に制限されなく、前述しなかったさらに他の目的は下記の記載から当業者に明確に理解可能であろう。
【課題を解決するための手段】
【００１６】
本発明は、前述した目的を達成するために、柔軟性の素材で形成され、内部に注入された空気の圧力によって一定の形状に膨脹または収縮するエアーチューブ；前記エアーチューブを支持または収納するためのベース；前記ベースの内部に備えられ、前記エアーチューブに空気を注入するための送風機；前記エアーチューブが膨脹した状態で前記エアーチューブの内部に光を照射させるための発光手段；及び前記送風機及び前記発光手段に電源を供給するための電源供給装置；を含み、前記発光手段は、一端が前記エアーチューブに固定され、他端は前記電源供給装置に連結される複数のＬＥＤモジュールであり、前記エアーチューブの膨脹した長さに相応して備えられる。
【００１７】
前記ＬＥＤモジュールはそれぞれ２個〜４個のモジュールが結合してなることができる。
【００１８】
前記電源供給装置はＳＭＰＳ（Ｓｗｉｔｃｈｉｎｇ  Ｍｏｄｅ  Ｐｏｗｅｒ  Ｓｕｐｐｌｙ）であってもよい。
【発明の効果】
【００１９】
本発明は次のような優れた効果がある。
【００２０】
まず、エアー看板に内部発光手段としてＬＥＤモジュールを用いることで、速い反応速度、消費電力の節減、寿命延長及び多様な色相の具現が可能である。
【００２１】
また、前記ＬＥＤモジュールを用いることで、エアー看板の製作コスト及び維持保守コストの面で経済的である。
【００２２】
同時に、前記ＬＥＤモジュールを膨脹したエアーチューブの長手方向の全長にわたって備え、全方向に光を照射させるために前記ＬＥＤモジュールを２個〜４個で結合することで、視覚による広告、宣伝の効果に優れる。
【図面の簡単な説明】
【００２３】
【図１】本発明の一実施例によるＬＥＤモジュールを備えたエアー看板の全体構成図である。
【図２】図１に示すＬＥＤモジュールの結合実施例を示す図である。
【図３】図１に示すＬＥＤモジュールの結合実施例を示す図である。
【図４】図１に示すＬＥＤモジュールの結合実施例を示す図である。
【図５ａ】本発明の第１実施例によるＬＥＤモジュールの装着部材の全体構成を示す図である。
【図５ｂ】本発明の第１実施例によるＬＥＤモジュールの装着部材の全体構成を示す図である。
【図６ａ】本発明の第２実施例によるＬＥＤモジュールの装着部材の全体構成を示す図である。
【図６ｂ】本発明の第２実施例によるＬＥＤモジュールの装着部材の全体構成を示す図である。
【図７ａ】本発明の第３実施例によるＬＥＤモジュールの装着部材の全体構成を示す図である。
【図７ｂ】本発明の第３実施例によるＬＥＤモジュールの装着部材の全体構成を示す図である。
【発明を実施するための形態】
【００２４】
本発明で使われる用語は可能な現在広く使われる一般的な用語を選択したが、特定の場合は出願人が任意に選定した用語もある。この場合には単純な用語の名称ではなく、発明を実施するための具体的な内容に記載されるか使用された意味を考慮してその意味が把握されなければならない。
【００２５】
以下、添付した図面に示す好適な実施例に基づいて本発明の技術的構成を詳細に説明する。
【００２６】
まず、図１は本発明の一実施例によるＬＥＤモジュール（ＬＥＤ  ｍｏｄｕｌｅ）を備えたエアー看板１００の全体構成図である。
【００２７】
図１を参照して詳細に説明すれば、本発明の一実施例によるＬＥＤモジュール（ＬＥＤ  ｍｏｄｕｌｅ）を備えたエアー看板１００は、図１に示すように、エアーチューブ（ａｉｒ  ｔｕｂｅ）１１０、ベース１２０、送風機１３０、発光手段１４０及び電源供給装置１５０を含む。
【００２８】
前記エアーチューブ１１０は後述する送風機１３０のオン／オフによって注入される空気の圧力によって一定の形状に膨脹及び収縮することができるように柔軟性及び伸縮性を持つ素材で形成され、同一目的を達成することが可能な多様な材質の利用が可能である。
【００２９】
また、前記送風機１３０のオン状態の際、注入される空気が前記エアーチューブ１１０の上部に漏出することができないように前記エアーチューブ１１０の上部は密閉しており、下部は前記送風機１３０によって空気が注入されることができるように開放しており、前記エアーチューブ１１０の下部は前記ベース１２０の上部に密着している。
【００３０】
そして、前記エアーチューブ１１０は前記送風機１３０によって注入される空気によって三角柱、四角柱、円柱、一定のキャラクターなどを含む多様な形状に膨脹可能である。
【００３１】
一方、前記エアーチューブ１１０の内部上面には、後述する発光手段１４０を前記エアーチューブ１１０の上部に固定するための固定手段１１１がさらに備えられる。
【００３２】
この際、前記固定手段１１１は固定掛け、固定紐、ベルクロファスナーなどを含む多様な方式の固定手段１１１を用いることができるのはいうまでもない。
【００３３】
一方、膨脹した前記エアーチューブ１１０は、前述したように、ベース１２０の上部に密着して支持され、前記ベース１２０は前記送風機１３０のオフの際に収縮する前記エアーチューブ１１０を収納することができる内部空間（図示せず）をさらに備えることができる。
【００３４】
一方、前記ベース１２０の内部には前記エアーチューブ１１０に空気を注入するための送風機１３０が備えられる。
【００３５】
前記送風機１３０は、前述したように、前記エアーチューブ１１０の内部に空気を注入するための手段に印加された電源によってファン（ｆａｎ）を回転させて空気を発生させ、発生した空気を前記エアーチューブ１１０の内部に注入することで前記エアーチューブ１１０を一定の形状に膨脹させる。
【００３６】
但し、前述したように、前記送風機１３０は必ずしもファン方式の送風機に限定されるものではなく、多様な方式の送風機を用いることができるのはいうまでもない。
【００３７】
また、前記送風機１３０に印加された電源が遮断、つまりオフとなった場合、前記エアーチューブ１１０の内部にそれ以上空気が注入されないので、柔軟性及び伸縮性を持つ前記エアーチューブ１１０は収縮して前記ベース１２０の内部空間に収納される。
【００３８】
以下では前述した図１及び図１に示すＬＥＤモジュール１４０の結合実施例を示す図２〜図４を参照して本発明の一構成である発光手段１４０について詳細に説明する。
【００３９】
まず、前記発光手段１４０は、前記エアーチューブ１１０が膨脹した状態で前記エアーチューブ１１０の内部に光を照射する役目をする。
【００４０】
これにより、本発明の一実施例によるエアー看板１００は昼間だけではなく夜間にも一般人または需要者の視線を集中させることができるので、看板本然の目的を達成することができる。
【００４１】
一方、前記発光手段１４０は、一端が前記エアーチューブ１１０、より具体的には前記エアーチューブ１１０の内部上面に備えられる固定手段１１１に固定され、他端は後述する電源供給装置１５０に連結される複数のＬＥＤモジュール１４０でなる。
【００４２】
この際、前記複数のＬＥＤモジュール１４０は、図１に示すように、前記エアーチューブ１１０の膨脹した長さに対応するように備えられる。
【００４３】
このように、前記ＬＥＤモジュール１４０を前記エアーチューブ１１０の膨脹した長さに対応するように複数備える理由は次のようである。
【００４４】
従来のエアー看板の場合、ベースに備えられた照明装置によってエアーチューブの下側から上方向に光を照射させる。この場合、エアーチューブの上部に行くほど光の照射量が減少してエアー看板の全体が暗くなって広告、宣伝の効果が減少する問題があった。
【００４５】
本発明は、これを解決するために、前記ＬＥＤモジュール１４０を前記エアーチューブ１１０の膨脹した長さに対応するように複数備えることで、従来とは異なり、前記エアーチューブ１１０の内部全体に光を照射することができる。
【００４６】
これにより、エアー看板１００全体が従来の看板よりずっと明るくなるので、一般人または需要者の視線をエアー看板１００に集中させることができる。
【００４７】
さらに、前記発光手段１４０としてＬＥＤモジュール１４０を用いる理由は、ＬＥＤが持つ下記の有利な特性を用いるためである。
【００４８】
ＬＥＤ（ＬＥＤ：ｌｉｇｈｔ  ｅｍｉｔｔｉｎｇ  ｄｉｏｄｅ）は、消費電力が白熱灯に比べて８０％、蛍光灯に比べて３０％低く、一般電球とは異なるフィラメントを使わないため、発熱が少なく、これによりエネルギー消耗が少なくて環境に優しい発光手段である。
【００４９】
また、製品ごとに違いはあるが、３〜５万時間の長寿命を保障することができ、ＲＧＢ（Ｒｅｄ、Ｇｒｅｅｎ、Ｂｌｕｅ）色相を用いるので、これらを組み合わせてすべての色相の具現することが可能である。
【００５０】
一方、図１に示す前記複数のＬＥＤモジュール１４０はそれぞれのモジュールが２個〜４個のモジュール１４０で結合されてなる。
【００５１】
これに対し、図２は２個の前記ＬＥＤモジュール１４０が結合された実施例、図３は３個の前記ＬＥＤモジュール１４０結合された実施例、図４は４個の前記ＬＥＤモジュール１４０が結合された実施例を示す図である。
【００５２】
このように、前記ＬＥＤモジュール１４０を２個〜４個で結合して構成する理由は、一般的なＬＥＤモジュールの場合、発光部１４１が前記モジュールの正面にだけ備えられているから、発光の際にＬＥＤモジュールの正面と背面への光照射量が異なる問題がある。
【００５３】
したがって、本発明の一実施例によるＬＥＤモジュールを備えたエアー看板１００は、前述したように、複数のＬＥＤモジュール１４０のそれぞれを２個〜４個で結合して備えることで、前記発光部１４１の位置にかかわらず、全方向に同量の光を照射することができる。
【００５４】
この際、前記ＬＥＤモジュール１４０の結合方式は、両面テープ、接着剤などを含む多様な方式を用いて結合することができるのは言うまでもないが、本発明は下記のような実施例によるＬＥＤモジュール１４０の装着部材２００、３００、４００を用いて前記ＬＥＤモジュール１４０を結合することができる。
【００５５】
以下、添付図面を参照して前記ＬＥＤモジュール１４０の装着部材２００、３００、４００の実施例について詳細に説明する。
【００５６】
第１実施例
まず、図５ａ及び図５ｂは本発明の第１実施例によるＬＥＤモジュールの装着部材２００の全体構成を示す図である。
【００５７】
図５ａを参照すれば、前記第１実施例によるＬＥＤモジュールの装着部材２００は、隔壁２２０が形成されたＨビーム状のフレーム２１０及び隔壁２２０に形成されるケーブル引出口２２１を含む。
【００５８】
この際、図５ａに示すように、前記フレーム２１０は、上下部にそれぞれＬＥＤモジュール１４０を装着するために、両側末端に隔壁２２０が形成されている。
【００５９】
そして、前記フレーム２１０の一定面には、前記ＬＥＤモジュール１４０で発生する熱を効率よく放出するための複数の放熱溝２１１が形成されている。
【００６０】
これについてより詳細に説明すれば、前記放熱溝２１１は前記ＬＥＤモジュール１４０の底面と接する面に形成される。この際、ＬＥＤモジュール１４０の底面はＬＥＤモジュール１４０の発光部１４１が備えられた面を平面であると仮定するとき、平面の反対側面を意味する。
【００６１】
一方、前記フレーム２１０の両側末端に形成される隔壁２２０の上下部には、図５ａ及び図５ｂに示すように、前記ＬＥＤモジュール１４０から伸びるケーブル１４２を前記隔壁２２０の外部に引き出すためのケーブル引出口２２１が形成される。
【００６２】
前記ケーブル引出口２２１を通じて前記ケーブル１４２を外部に引き出して簡単に固定することができる。
【００６３】
一方、前記ＬＥＤモジュール１４０は前記隔壁２２０の間に締まりばめ方式で装着され、本発明の第１実施例においては、前記ＬＥＤモジュール１４０の装着方法として締まりばめ方式を記載したが、下記のような方法によっても装着可能である。
【００６４】
これについて図５ｂを参照すれば、前記隔壁２２０は、前記プレム２１０上に内外側に隔壁２２０が備えられた二重構造に備えられることができる。
【００６５】
このように、前記隔壁２２０を二重構造で備える理由は、ＬＥＤモジュール１４０はメーカー別にその長さが違うので、締まりばめ方式で前記ＬＥＤモジュール１４０を装着するためには、各メーカーのＬＥＤモジュール１４０の長さに合うようにそれぞれのＬＥＤモジュール装着部材を製造しなければならない問題がある。これを解決するために、図５ｂのように、二重構造の内側隔壁２２０の間に装着されるＬＥＤモジュール１４０の長さより伸びるように備え、前記隔壁２２０に形成されたケーブル引出口２２１を通じて前記ＬＥＤモジュール１４０から伸びたケーブル１４２を外側と内側隔壁の間に二重で固定して、全体的に前記ＬＥＤモジュール１４０を固定するためである。
【００６６】
また、前記フレーム２１０は多様な素材で製造できるが、本発明の好適な実施例においては、前記装着部材２００の軽量化及び放熱特性の向上のために、アルミニウム、アルミニウム合金及びプラスチック材よりなる群から選ばれた１種を用いた。
【００６７】
結果的に、前述した本発明の第１実施例によるＬＥＤモジュールの装着部材２００は、２個の前記ＬＥＤモジュール１４０を簡単で安定的に装着することができる。
【００６８】
第２実施例
以下、図６ａ及び図６ｂを参照して本発明の第２実施例によるＬＥＤモジュールの装着部材３００について詳細に説明する。
【００６９】
前記第２実施例は同時に３個の前記ＬＥＤモジュール１４０を装着することができる構造である。
【００７０】
これについて図６ａを参照して詳細に説明すれば、第２実施例によるＬＥＤモジュールの装着部材３００は、３個の前記ＬＥＤモジュール１４０が装着できるように、前記ＬＥＤモジュール１４０の長さと同一の長さを有し、垂直断面が三角形の管構造でなるフレーム３１０を含む。
【００７１】
この際、前記垂直断面が三角形というのは、図６ａに示すＬＥＤモジュールの装着部材３００をＡ−Ａ’方向に切断した面が三角形であることを意味する。
【００７２】
一方、前記フレーム３１０の両側外部末端には複数の隔壁３２０が形成される。前記第２実施例の場合、図６ａに示すように、総６個の隔壁３２０が形成される。
【００７３】
そして、前記隔壁３２０の一定部分には、前記ＬＥＤモジュール１４０から伸びるケーブル１４２を前記隔壁３２０の外部に引き出すためのケーブル引出口３２１が形成されている。
【００７４】
また、前記ＬＥＤモジュール１４０は、前述した第１実施例と同様に、互いに対向する隔壁３２０の間に締まりばめ方法で装着され、図６ｂに示して第１実施例で前述したように、隔壁３２０を二重構造で備え、ＬＥＤモジュール１４０のケーブル１４２を固定することもできる。
【００７５】
この際、前記フレーム３１０は前記ＬＥＤモジュール１４０より伸びた長さで備えられる。
【００７６】
第３実施例
一方、本発明の第３実施例によるＬＥＤモジュールの装着部材４００は４個のＬＥＤモジュール１４０が装着できる構造で、図７ａ及び図７ｂを参照すれば、フレーム４１０の垂直断面（Ａ−Ａ’方向への切断面）が四角形の管構造でフレーム４１０がなされるという点と、締まりばめ方式を用いるために、前記フレーム４１０の両側外部末端に互いに対向する総４対、つまり８個の隔壁４２０が形成され、隔壁４２０の二重構造を用いてＬＥＤモジュール１４０を装着するためには、総１６個のケーブル引出口４２１が形成された隔壁４２０が前記フレーム４１０上に形成されるという点を除き、第２実施例と同様である。
【００７７】
また、隔壁４２０の二重構造を用いて前記ＬＥＤモジュール１４０を固定する場合、前述したように、前記フレーム４１０の長さは前記ＬＥＤモジュール１４０の長さより伸びるように備えられる。
【００７８】
この際、前述した第２実施例及び第３実施例による前記フレーム３１０、４１０の外部面には、装着された前記ＬＥＤモジュール１４０で発生する熱を外部に放出するための複数の放熱孔３１１、４１１が穿孔される。
【００７９】
一方、第２実施例及び第３実施例による前記フレーム３１０、４１０は前述したように管構造でなる。このように管構造で形成する理由は、前記放熱孔３１１、４１１を通じて放出された熱が管構造である前記フレーム３１０、４１０の両側開口部を通じて易しく放出されるようにして、放熱効果を極大化するためである。
【００８０】
また、第２実施例及び第３実施例による前記フレーム３１０、４１０は、第１実施例によるフレーム２１０と同様に、アルミニウム、アルミニウム合金及びプラスチックうよりなる群から選ばれたいずれか１種を用いることができるので、装着部材２００、３００、４００の軽量化及び放熱特性の向上を図ることができる。
【００８１】
一方、本発明の第２実施例及び第３実施例によるフレーム３１０、４１０は垂直断面を三角形及び四角形に限定して説明したが、必ずしもこれに限定されるものではなく、五角形、六角形を含む多角形に拡大して実施することができるのはいうまでもない。
【００８２】
一方、前記ベース１２０の内部には前記送風機１３０及び前記発光手段１４０に電源を供給するための電源供給装置１５０が備えられ、多様な方式の電源供給装置を用いることができるのは言うまでもないが、本発明の好適な実施例においては、電源供給効率の向上、耐久性強化及び前記エアー看板の軽量化のためにＳＭＰＳ（Ｓｗｉｔｃｈｉｎｇ  Ｍｏｄｅ  Ｐｏｗｅｒ  Ｓｕｐｐｌｙ）を用いた。
【００８３】
結果的に、本発明の一実施例によるＬＥＤモジュールを備えたエアー看板１００は、エアー看板１００に内部発光手段１４０としてＬＥＤモジュール１４０を用いることで、速い反応速度、消費電力の節減、寿命延長及び多様な色相の具現が可能である。
【００８４】
また、前記ＬＥＤモジュール１４０を用いることにより、エアー看板１００の製作コスト及び維持保守コストの面で経済的である。
【００８５】
同時に、前記ＬＥＤモジュール１４０を膨脹したエアーチューブ１１０の長手方向の全長にわたって備え、全方向に光を照射させるために前記ＬＥＤモジュール１４０を２個〜４個結合することにより、視覚による広告、宣伝の効果に優れる。
【００８６】
以上説明したように、本発明は好適な実施例に基づいて示して説明したが、前述した実施例に限定されなく、本発明の精神を逸脱しない範囲内で本発明が属する技術分野で通常の知識を持った者によって多様な変更及び修正が可能であろう。
【産業上の利用可能性】
【００８７】
本発明は、エアー看板の内部に備えられたＬＥＤモジュールによってエアー看板の内部の全方向に光を照射させることにより、広告宣伝の効果に優れ、従来のハロゲンランプ、メタルランプ、安定器などでなったエアー看板に比べて低い消費電力、延ばされた看板寿命及び環境に優しいエアー看板に適用可能である。
【符号の説明】
【００８８】
１００    ＬＥＤモジュールを備えたエアー看板
１１０    エアーチューブ
１１１    固定手段
１２０    ベース
１３０    送風機
１４０    発光手段（ＬＥＤモジュール）
１４１    発光部
１４２    ケーブル
１５０    電源供給装置
２００、３００、４００    ＬＥＤモジュール装着部材
２１０、３１０、４１０    フレーム
２２０、３２０、４２０    隔壁
２２１、３２１、４２１    ケーブル引出口
２１１    放熱溝
３１１、４１１    放熱孔
【図１】
2013231969.tif 000003
【図２】
2013231969.tif 000004
【図３】
2013231969.tif 000005
【図４】
2013231969.tif 000006
【図５ａ】
2013231969.tif 000007
【図５ｂ】
2013231969.tif 000008
【図６ａ】
2013231969.tif 000009
【図６ｂ】
2013231969.tif 000010
【図７ａ】
2013231969.tif 000011
【図７ｂ】
2013231969.tif 000012